(57)【要約】【課題】箱枠体が一連一体として優れた保形性を確保する折り畳み可能な収容箱を提供すること。【解決手段】箱枠体１００Ａの隣接したパネル相互間の組付けを補強する組付補強部材１５０が、硬質プラスチックシートＳと同質かつ箱枠体１００と別体で設けられている折り畳み可能な収容箱１００。【選択図】図２
2020006991.tif 000002
【特許請求の範囲】
【請求項１】
硬質プラスチックシートを用いて正面パネルと左側面パネルと右側面パネルと背面パネルとを一連一体に構成してなる箱枠体を備え、
前記正面パネルと前記左側面パネルと前記右側面パネルと前記背面パネルとのうち、前記箱枠体として隣接して組付ける一方が、前記箱枠体として隣接して組付けられる他方に向けて延設した差込舌片を有し、前記箱枠体として隣接して組付けられる他方が、前記箱枠体として隣接して組付ける一方に向けて延設した折込み片と該折込み片の一部を折込み線に沿って切り込んだ差込スリットとを有している折り畳み可能な収容箱であって、
前記箱枠体の隣接したパネル相互間の組付けを補強する組付補強部材が、前記硬質プラスチックシートと同質かつ前記箱枠体と別体で設けられていることを特徴とする折り畳み可能な収容箱。
【請求項２】
前記組付補強部材が、前記箱枠体の隣接したパネル相互間の組付けラインに沿う棒状本体と該棒状本体から延設したロッキング舌片とを有し、
前記差込舌片が、該差込舌片の折込み線の差込側近傍で前記組付けラインに沿って切り込んで前記ロッキング舌片を差し込むロッキングスリットを有していることを特徴とする請求項１記載の折り畳み可能な収容箱。
【請求項３】
前記差込舌片が、該差込舌片の基部両端に前記差込スリットと着脱自在に係合する一対の抜け止め用切込みノッチを有していることを特徴とする請求項１または請求項２記載の折り畳み可能な収容箱。
【請求項４】
前記ロッキング舌片が、該ロッキング舌片の基部両端に前記ロッキングスリットと着脱自在に係合する一対の抜け止め用切込みノッチを有していることを特徴とする請求項２または請求項３に記載の折り畳み可能な収容箱。
【発明の詳細な説明】
【技術分野】
【０００１】
本発明は、硬質プラスチックシートを用いて正面パネルと左側面パネルと背面パネルと右側面パネルとを一連一体の構造物とした箱枠体を備える折り畳み可能な収容箱に関するものである。
【背景技術】
【０００２】
従来、４つの側面からなる周壁を有する箱体が知られている（例えば、特許文献１）。
【先行技術文献】
【特許文献】
【０００３】
【特許文献１】特開平１０−２９７６２８号公報
【発明の概要】
【発明が解決しようとする課題】
【０００４】
特許文献１に記載されている箱体の周壁は、４つの側面とこの４つの側面の１つから突出する糊代部とを有している。
そして、この箱体の周壁は、糊代部が４つの側面のうちの１つの側面に接着されることで形成される。
【０００５】
このように接着により周壁が形成された箱体は、箱体内に収納する収容物の体積が箱体の周壁方向に嵩張っている場合、収容物が箱体の側面に対して当接したり、押圧したりして周壁の糊代部に過度な変形や歪を惹起させ、その結果、糊代部と側面との接着が剥離し、箱体の周壁として保形性を維持することができず、箱体の機能を発揮することができなくなるという問題があった。
加えて、接着剤を用いて一度組立てた箱体は、解体して、再度組み付けることができないという取り扱い上の問題があった。
しかも、箱体の素材と糊剤との接着強度は、製造条件、使用条件、使用環境などにおいて変化し易く、最適な接着強度を安定して確保することが困難となり、長期にわたって充分な保形性を確保することができないという強度上の問題があった。
【０００６】
そこで、本発明は、前述したような従来技術の問題を解決するものであって、すなわち、本発明の目的は、箱枠体が一連一体の構造物として優れた保形性を確保する折り畳み可能な収容箱を提供することである。
【課題を解決するための手段】
【０００７】
請求項１に係る発明は、硬質プラスチックシートを用いて正面パネルと左側面パネルと右側面パネルと背面パネルとを一連一体に構成してなる箱枠体を備え、前記正面パネルと前記左側面パネルと前記右側面パネルと前記背面パネルとのうち、前記箱枠体として隣接して組付ける一方が、前記箱枠体として隣接して組付けられる他方に向けて延設した差込舌片を有し、前記箱枠体として隣接して組付けられる他方が、前記箱枠体として隣接して組付ける一方に向けて延設した折込み片と該折込み片の一部を折込み線に沿って切り込んだ差込スリットとを有している折り畳み可能な収容箱であって、前記箱枠体の隣接したパネル相互間の組付けを補強する組付補強部材が、前記硬質プラスチックシートと同質かつ前記箱枠体と別体で設けられていることにより、前述した課題を解決するものである。
【０００８】
請求項２に係る発明は、請求項１に記載された収容箱の構成に加えて、前記組付補強部材が、前記箱枠体の隣接したパネル相互間の組付けラインに沿う棒状本体と該棒状本体から延設したロッキング舌片とを有し、前記差込舌片が、該差込舌片の折込み線の差込側近傍で前記組付けラインに沿って切り込んで前記ロッキング舌片を差し込むロッキングスリットを有していることにより、前述した課題をさらに解決するものである。
【０００９】
請求項３に係る発明は、請求項１または請求項２に記載された収容箱の構成に加えて、前記差込舌片が、該差込舌片の基部両端に前記差込スリットと着脱自在に係合する一対の抜け止め用切込みノッチを有していることにより、前述した課題をさらに解決するものである。
【００１０】
請求項４に係る発明は、請求項１乃至請求項３のいずれか１つに記載された収容箱の構成に加えて、前記ロッキング舌片が、該ロッキング舌片の基部両端に前記ロッキングスリットと着脱自在に係合する一対の抜け止め用切込みノッチを有していることにより、前述した課題をさらに解決するものである。
【発明の効果】
【００１１】
本発明の折り畳み可能な収容箱は、硬質プラスチックシートを用いて正面パネルと左側面パネルと右側面パネルと背面パネルとを一連一体に構成してなる箱枠体を備え、正面パネルと左側面パネルと右側面パネルと背面パネルとのうち、箱枠体として隣接して組付ける一方が、箱枠体として隣接して組付けられる他方に向けて延設した差込舌片を有し、箱枠体として隣接して組付けられる他方が、箱枠体として隣接して組付ける一方に向けて延設した折込み片とこの折込み片の一部を折込み線に沿って切り込んだ差込スリットとを有していることにより、物品収容空間を囲繞できるとともに、以下のような本発明に特有の効果を奏することができる。
【００１２】
請求項１に係る発明の収容箱によれば、箱枠体の隣接したパネル相互間の組付けを補強する組付補強部材が、硬質プラスチックシートと同質かつ箱枠体と別体で設けられていることにより、この隣接したパネル相互間の組付けが、組付補強部材によってさらに強固に補強されるため、隣接したパネル相互間の組付け構造のみで箱枠体を構成する場合に比べて、箱枠体が強固な一連一体の連結形態となり、収容箱として優れた保形性を確保することができる。
【００１３】
請求項２に係る発明の収容箱によれば、請求項１に係る発明の収容箱が奏する効果に加えて、組付補強部材が、箱枠体の隣接したパネル相互間の組付けラインに沿う棒状本体とこの棒状本体から延設したロッキング舌片とを有し、差込舌片が、この差込舌片の折込み線の差込側近傍で組付けラインに沿って切り込んでロッキング舌片を差し込むロッキングスリットを有していることにより、ロッキング舌片をロッキングスリットに差し込むだけで組付補強部材と箱枠体とが係合されるため、箱枠体の強度を簡便に向上させることができる。
【００１４】
請求項３に係る発明の収容箱によれば、請求項１または請求項２に係る発明の収容箱が奏する効果に加えて、差込舌片が、この差込舌片の基部両端に差込スリットと着脱自在に係合する一対の抜け止め用切込みノッチを有していることにより、差込舌片を差込スリットに差し込んだ際に、抜け止め用切込みノッチが差込スリットに係合するため、差込舌片が差込溝からより抜けにくくなり、箱枠体として隣接したパネル相互間の組付けをより強固することができる。
【００１５】
請求項４に係る発明の収容箱によれば、請求項１乃至請求項３のいずれか１つに係る発明の収容箱が奏する効果に加えて、ロッキング舌片が、このロッキング舌片の基部両端にロッキングスリットと着脱自在に係合する一対の抜け止め用切込みノッチを有していることにより、ロッキング舌片をロッキングスリットに差し込んだ際に、抜け止め用切込みノッチがロッキングスリットに係合するため、ロッキング舌片がロッキングスリットからより抜けにくくすることができる。
【図面の簡単な説明】
【００１６】
【図１】本発明の実施例である収容箱の斜視図。
【図２】図１に示す収容箱の内側を説明する斜視図。
【図３Ａ】図２の平面図。
【図３Ｂ】図３Ａの要部拡大断面図。
【図４】図１に示す収容箱の展開図。
【図５】図４における背面パネルの端部拡大図。
【図６】図３における組付補強部材の拡大図。
【図７】図４に示す背面パネルと左側面パネルとの組付け手順の説明図。
【図８】図４に示す箱枠体と組付補強部材との組付け手順の説明図。
【図９】図１に示す収容箱の底部開口を閉塞する手順の説明図。
【図１０】図１に示す収容箱の底部開口を閉塞する手順の説明図。
【図１１Ａ】図４に示す底面抑え片と底面サイドフラップとの組付け手順の説明図。
【図１１Ｂ】図４に示す底面抑え片と底面サイドフラップとの組付け手順の説明図。
【図１１Ｃ】図４に示す底面抑え片と底面サイドフラップとの組付け手順の説明図。
【発明を実施するための形態】
【００１７】
本発明は、硬質プラスチックシートを用いて正面パネルと左側面パネルと右側面パネルと背面パネルとを一連一体に構成してなる箱枠体を備え、正面パネルと左側面パネルと右側面パネルと背面パネルとのうち、箱枠体として隣接して組付ける一方が、箱枠体として隣接して組付けられる他方に向けて延設した差込舌片を有し、箱枠体として隣接して組付けられる他方が、箱枠体として隣接して組付ける一方に向けて延設した折込み片とこの折込み片の一部を折込み線に沿って切り込んだ差込スリットとを有している折り畳み可能な収容箱であって、箱枠体の隣接したパネル相互間の組付けを補強する組付補強部材が、硬質プラスチックシートと同質かつ箱枠体と別体で設けられていることにより、箱枠体が一連一体の構造物として優れた保形性を確保するものであれば、その具体的な実施態様は、如何なるものであっても構わない。
【００１８】
例えば、収容箱の素材については、ポリプロピレン樹脂板、ＡＢＳ（アクリロニトリル・ブタジエン・スチレン）樹脂板、ＰＥＴ（ポリエチレンテレフタラート）樹脂板、ポリカーボネート樹脂板、ポリ塩化ビニル樹脂板、ポリエチレン樹脂板、ポリアミド樹脂板などの弾性変形自在な硬質プラスチックシートであることが好ましいが、収容箱を形成するために必要な折り曲げ溝を簡便に成形して折り曲げ自在となるプラスチックシートであれば、前述した硬質プラスチックシート以外の素材であっても良い。
【実施例】
【００１９】
以下、図１乃至図１１Ｃに基づいて、本発明の実施例である収容箱を説明する。
【００２０】
＜１．収容箱の構造＞
まず、図１乃至図６に基づいて、本発明の実施例である収容箱１００を説明する。
図１は、本発明の実施例である収容箱の斜視図であり、図２は、図１に示す収容箱の内側を説明する斜視図であり、図３Ａは、図２の平面図であり、図３Ｂは、図３Ａの要部拡大断面図であり、図４は、図１に示す収容箱の展開図であり、図５は、図４における背面パネルの端部拡大図であり、図６は、図３における組付補強部材の拡大図である。
【００２１】
本発明の一実施例である収容箱１００は、図１に示すように直方体状であり、図４に示すように、物品収容空間を構成する箱枠体１００Ａとこの箱枠体１００Ａを補強するスティック状の組付補強部材１５０との２部材で組み立てられる。
これにより、箱枠体１００Ａの隣接したパネル相互間の組付けが、箱枠体１００Ａの隣接したパネル相互間の組付け構造だけでなく、組付補強部材１５０によってさらに強固に補強される。
そして、この箱枠体１００Ａと組付補強部材１５０とは、単一のブランクシート素材としてポリプロピレン樹脂板からなる硬質プラスチックシートＳから切り出される。
これにより、収容箱１００を段ボール紙などで製作する場合に比べて、肉薄であっても箱強度と保形性が増すばかりでなく、収容箱１００の組付けまたは解体時に硬質プラスチックシートが弾性変形し、組付け作業や解体作業が簡便になっている。
【００２２】
＜２．１．箱枠体＞
まず、図１乃至図５に基づいて、箱枠体１００Ａについて説明する。
箱枠体１００Ａは、矩形状の正面パネル１１０と、この正面パネル１１０の左辺１１０ａを介して連続する矩形状の左側面パネル１２０と、正面パネル１１０の右辺１１０ｂを介して連続する矩形状の右側面パネル１３０と、この右側面パネル１３０の右辺１３０ａを介して連続する背面パネル１４０とを備え、これら４枚のパネルが一連一体となって直方体状の物品収容空間Ａ（図２等参照）を囲繞するように構成されている。
【００２３】
＜２．１．１．正面パネル＞
まず、図１および図４等に基づいて、矩形状の正面パネル１１０と、この正面パネル１１０の上下方向に隣接された部材について説明する。
正面パネル１１０の上部中央付近には、逆台形状の開口１１０ｃが形成されている。
【００２４】
正面パネル１１０の底辺１１０ｄには、この底辺１１０ｄを介して連続する凹字状の底面前方フラップ１１１が隣接されている。
この底面前方フラップ１１１は、正面パネル１１０の底辺１１０ｄと隣接する矩形部分１１１ａと、この矩形部分１１１ａの左右端側かつ下端から突出する２つの矩形状の突出部分１１１ｂとを有している。
すなわち、これらの２つの突出部分１１１ｂにより、底面前方フラップ１１１には凹部領域１１１ｃが形成されて凹字状のフラップ形状を呈している。
そして、矩形部分１１１ａには、正面パネル１１０の底辺１１０ｄに向けて爪状に切り欠いて起伏自在な差込片１１１ｄが形成されている。
なお、ここでいう「爪状」とは、本実施例においては、図４に示すように横長の台形形状を指すが、少なくとも後述する底面後方フラップ１４１の係止スリット１４１ｃに係止できれば、その先端部の形状や縦横比等は、如何なるものであってもよい。
【００２５】
また、正面パネル１１０の上辺１１０ｅには、この上辺１１０ｅを介して連続する帯状の正面上端補強パネル１１２が隣接して接続されている。
そして、この正面上端補強パネル１１２の上辺１１２ａには、この上辺１１２ａを介して連続する矩形状の正面内装パネル１１３が隣接して接続されている。
正面内装パネル１１３の上辺１１３ａには、矩形状の底面抑え片１１４が隣接して接続されている。
なお、正面パネル１１０、正面上端補強パネル１１２、正面内装パネル１１３、底面抑え片１１４の左右方向の幅は、ほぼ等しい。
また、これら４つのパネルの内、上下方向の幅が最も短いのは、正面上端補強パネル１１２であり、正面パネル１１０の上下方向の幅と正面内装パネル１１３の上下方向の幅とは、ほぼ等しくなっている。
そして、底面抑え片１１４の上下方向の幅は、正面パネル１１０の上下方向の幅より短くなっている。
【００２６】
＜２．１．２．左側面パネル＞
次に、図１および図４等に基づいて、左側面パネル１２０と、この左側面パネル１２０の周囲に隣接された部材について説明する。
【００２７】
左側面パネル１２０の底辺１２０ａには、この底辺１２０ａを介して連続する底面左サイドフラップ１２１が隣接されている。
底面左サイドフラップ１２１は、展開図である図４において、右側（底面前方フラップ１１１側）に傾斜辺１２１ａを有しており、下方に向かって上下方向の幅が狭くなっている。
そして、この底面左サイドフラップ１２１は、傾斜辺１２１ａから突出する舌部分１２１ｂを有している。
【００２８】
左側面パネル１２０の上辺１２０ｂには、この上辺１２０ｂを介して連続する矩形状の天面左サイドフラップ１２２が隣接されている。
【００２９】
左側面パネル１２０の左辺１２０ｃには、この左辺１２０ｃを介して連続する台形状の折込み片１２３が隣接されている。
さらに、この左側面パネル１２０の左辺１２０ｃには、この左辺１２０ｃの上部に配置した差込スリット１２４とその下部に配置した差込スリット１２５がそれぞれ形成されている。
【００３０】
＜２．１．３．右側面パネル＞
次に、図１および図４等に基づいて、右側面パネル１３０と、この右側面パネル１３０の上下方向に隣接された部材について説明する。
【００３１】
右側面パネル１３０の底辺１３０ｂには、この底辺１３０ｂを介して連続する底面右サイドフラップ１３１が隣接されている。
底面右サイドフラップ１３１は、展開図である図４において、左側（底面前方フラップ１１１側）に傾斜辺１３１ａを有しており、下方に向かって上下方向の幅が狭くなっている。
そして、この底面右サイドフラップ１３１は、傾斜辺１３１ａから突出する舌部分１３１ｂを有している。
【００３２】
右側面パネル１３０の上辺１３０ｃには、この上辺１３０ｃを介して連続する矩形状の天面右サイドフラップ１３２が隣接されている。
【００３３】
＜２．１．４．背面パネル＞
次に、図１、図４および図５等に基づいて、背面パネル１４０と、この背面パネル１４０の周囲に隣接された部材について説明する。
【００３４】
背面パネル１４０の底辺１４０ａには、この底辺１４０ａを介して連続する台形状の底面後方フラップ１４１が隣接されている。
底面後方フラップ１４１は、背面パネル１４０の底辺１４０ａと隣接する台形状の基端部分１４１ａと、この基端部分１４１ａの下端から突出する矩形状の突出部分１４１ｂとを有している。
そして、この突出部分１４１ｂの左右中央付近には、角丸で細長形状の係止スリット１４１ｃが形成されている。
この係止スリット１４１ｃの上下方向の幅は、底面前方フラップ１１１の差込片１１１ｄの厚みよりも大きい。
【００３５】
また、背面パネル１４０の上辺１４０ｂには、この上辺１４０ｂを介して連続する矩形状の天面パネル１４２が隣接されている。
そして、この天面パネル１４２の上辺１４２ａには、この上辺１４２ａを介して連続する矩形状の天面フラップ１４３が隣接されている。
この天面フラップ１４３の左右中央付近には、天面フラップ１４３の上辺１４３ａに向けて切り欠いて起伏自在な差込保持片１４３ｂが形成されている。
なお、背面パネル１４０、天面パネル１４２、天面フラップ１４３の左右方向の幅は、全て等しい。
【００３６】
背面パネル１４０の右辺１４０ｃには、この右辺１４０ｃの上部に配置した台形状の差込舌片１４４と右辺１４０ｃの下部に配置した台形状の差込舌片１４５とがそれぞれ形成されている。
さらに、この差込舌片１４４の基端部（右辺１４０ｃ上）には、ロッキングスリット１４４ａが形成されている。
同様に、差込舌片１４５の基端部（右辺１４０ｃ上）には、ロッキングスリット１４５ａが形成されている。
【００３７】
さらに、図５に示すように、右辺１４０ｃの上部に配置された差込舌片１４４の基端部には、ロッキングスリット１４４ａを中心として上下方向に一対の抜け止め用切込みノッチ１４４ｂが形成されている。
同様に、右辺１４０ｃの下部に配置された差込舌片１４５の基端部には、ロッキングスリット１４５ａを中心として上下方向に一対の抜け止め用切込みノッチ１４５ｂが形成されている。
【００３８】
＜２．１．５．収容箱の天蓋構造および底蓋構造＞
正面パネル１１０と、左側面パネル１２０と、右側面パネル１３０と、背面パネル１４０とにより囲繞された物品収容空間Ａの矩形断面を呈する上部開口は、天蓋となる天面パネル１４２の差込保持片１４３ｂを正面パネル１１０に形成された台形状の開口１１０ｃに差し込むことで天面パネル１４２により閉塞される。
他方、物品収容空間Ａの矩形断面を呈する底部開口Ｏ（図８等参照）は、底面前方フラップ１１１と底面左サイドフラップ１２１と底面右サイドフラップ１３１と底面後方フラップ１４１とを物品収容空間Ａに向けて折り曲げた状態で組付けてこれら４つのフラップを係止させることで閉塞し、所謂、底蓋を構成する。
なお、物品収容空間Ａの矩形断面を呈する底部開口Ｏの閉塞手順については、後に詳述する。
【００３９】
＜２．２．組付補強部材＞
続いて、図２、図３Ｂ、図４、図６などに基づいて、組付補強部材１５０について説明する。
組付補強部材１５０は、箱枠体１００Ａの左側面パネル１２０と背面パネル１４０との相互間の組付けラインＬに沿った縦長の棒状本体１５１と、この棒状本体１５１の上部に配置した台形状のロッキング舌片１５２と、棒状本体１５１の下部に配置した台形状のロッキング舌片１５３とを有している。
【００４０】
さらに、図６に示すように、棒状本体１５１の上部から延設されたロッキング舌片１５２の基端部には、上下方向に一対の抜け止め用切込みノッチ１５２ａが形成されている。
同様に、棒状本体１５１の下部から延設されたロッキング舌片１５３の基端部には、上下方向に一対の抜け止め用切込みノッチ１５３ａが形成されている。
【００４１】
＜３．収容箱の組み立て＞
次に、図１乃至図１１Ｃに基づいて、本実施例である収容箱１００の組み立て手順を説明する。
図７は、図４に示す背面パネルと左側面パネルとの組付け手順の説明図であり、図８は、図４に示す箱枠体と組付補強部材との組付け手順の説明図であり、図９および図１０は、図１に示す収容箱の底部開口を閉塞する手順の説明図であり、図１１Ａ乃至図１１Ｃは、図４に示す底面抑え片と底面サイドフラップとの組付け手順の説明図である。
【００４２】
＜３．１．物品収容空間の形成＞
はじめに、図７および図８に基づいて、物品収容空間の形成手順について説明する。
まず、単一のブランクシート素材としてポリプロピレン樹脂板からなる硬質プラスチックシートＳから、前述した箱枠体１００Ａおよび組付補強部材１５０をそれぞれ切り出す。
そして、正面パネル１１０の左辺１１０ａおよび右辺１１０ｂ、左側面パネル１２０の左辺１２０ｃ、右側面パネル１３０の右辺１３０ａ、背面パネル１４０の右辺１４０ｃを予め箱枠体１００Ａの内側に向けて谷折り自在となるようにＶ字溝を成形加工しておく。
【００４３】
このようなＶ字溝を成形加工によって施した状態で、図７に示すように、正面パネル１１０と左側面パネル１２０と右側面パネル１３０と背面パネル１４０とをそれぞれ相互に垂直に折り曲げた後、左側面パネル１２０の上部に配置した差込スリット１２４に背面パネル１４０の上部に配置した差込舌片１４４を挿入し、左側面パネル１２０の下部に配置した差込スリット１２５に背面パネル１４０の下部に配置した差込舌片１４５を挿入する。
このようにして、これらの正面パネル１１０と左側面パネル１２０と右側面パネル１３０と背面パネル１４０とが、一連一体に矩形断面を呈する物品収容空間Ａを囲繞するように構成される。
このとき、背面パネル１４０の差込舌片１４４、１４５に形成された抜け止め用切込みノッチ１４４ｂ、１４５ｂが、左側面パネル１２０の差込スリット１２４、１２５と着脱自在に係合している。
【００４４】
続いて、図８に示すように、組付補強部材１５０に配置した上部のロッキング舌片１５２を、背面パネル１４０に配置した上部の差込舌片１４４のロッキングスリット１４４ａに挿入し、組付補強部材１５０に配置した下部のロッキング舌片１５３を、背面パネル１４０に配置した下部の差込舌片１４５のロッキングスリット１４５ａに挿入する。
このとき、図２等に示すように、組付補強部材１５０のロッキング舌片１５２、１５３に形成された抜け止め用切込みノッチ１５２ａ、１５３ａが、背面パネル１４０の差込舌片１４４、１４５に形成されたロッキングスリット１４４ａ、１４５ａと着脱自在に係合している。
これにより、左側面パネル１２０と背面パネル１４０との係合、すなわち、左側面パネル１２０と背面パネル１４０との連結形態が、より強固になる。
【００４５】
＜３．２．収容箱の底部開口の閉塞＞
続いて、図９及び図１０に基づいて、収容箱１００の底部開口Ｏの閉塞手順を説明する。
【００４６】
すなわち、箱枠体１００Ａを構成した状態から、正面パネル１１０の底辺１１０ｄを折り曲げる。
次に、左側面パネル１２０の底辺１２０ａを折り曲げて、底面左サイドフラップ１２１を物品収容空間Ａに向けて折り込む。
このとき、底面左サイドフラップ１２１の舌部分１２１ｂを底面前方フラップ１１１の凹部領域１１１ｃに差し込む。
同様に、右側面パネル１３０の底辺１３０ｂを折り曲げて、底面右サイドフラップ１３１の舌部分１３１ｂを底面前方フラップ１１１の凹部領域１１１ｃに差し込む。
これにより、図９に示すような閉塞状態になる。
なお、左側面パネル１２０と右側面パネル１３０の折り曲げの順序は、逆でもよい。
【００４７】
次に、図９の閉塞状態から、背面パネル１４０の底辺１４０ａを折り曲げ、底面後方フラップ１４１の突出部分１４１ｂを底面前方フラップ１１１の凹部領域１１１ｃに差し込む。
【００４８】
以上述べたように、物品収容空間Ａの底部開口Ｏは、底面前方フラップ１１１と、底面左サイドフラップ１２１と、底面右サイドフラップ１３１と、底面後方フラップ１４１とを物品収容空間Ａに向けて折り曲げた状態に組付けてこれらを係止させることで閉塞される。
【００４９】
＜３．３．底面抑え片と底面サイドフラップとの係合＞
続いて、主に図１１Ａ乃至図１１Ｃに基づいて、収容箱１００の底面抑え片１１４と底面サイドフラップ（底面左サイドフラップ１２１および底面右サイドフラップ１３１）との係合を説明する。
【００５０】
まず、図１１Ａの状態から、正面パネル１１０の上辺１１０ｅと、正面上端補強パネル１１２の上辺１１２ａと、正面内装パネル１１３の上辺１１３ａとを折り曲げて、正面内装パネル１１３と底面抑え片１１４とを物品収容空間Ａに向けて折り込み、図１１Ｂの状態にする。
【００５１】
そして、底面左サイドフラップ１２１の舌部分１２１ｂおよび底面右サイドフラップ１３１の舌部分１３１ｂをめくり上げて、底面左サイドフラップ１２１の舌部分１２１ｂおよび底面右サイドフラップ１３１の舌部分１３１ｂと底面前方フラップ１１１の差込片１１１ｄまたは背面パネル１４０の突出部分１４１ｂとの間に底面抑え片１１４を挿入する。
これにより、図１１Ｃおよび図２のような状態になり、収容箱１００の正面側と底面側が２重の積層構造となって補強されるため、重量物からなる収容物品Ｍを物品収容空間Ａに収容した際に、収容箱全体が歪に変形することなくさらに優れた保形性を発揮する。
【００５２】
＜４．変形例＞
以上、本発明の収容箱を具体的について説明したが、本発明の収容箱は、上記に限定されるものではなく、その趣旨を逸脱しない範囲でその具体的な形態の変形が可能である。
【００５３】
例えば、本実施例において、収容箱１００の幅（Ｗ）、奥行き（Ｄ）、高さ（Ｈ）を図１に示すように定めたとき、これらの関係はＷ＞Ｄ＞Ｈとなっているが、これに限定されるものではなく、例えば、Ｗ＞Ｈ＞Ｄという関係であってもよい。
そして、底面抑え片１１４の上下方向の幅と正面パネル１１０の上下方向の幅との大小関係についても、底面後方フラップ１１４が底面サイドフラップと係合できれば本実施例の関係（底面抑え片１１４の上下方向の幅が正面パネル１１０の上下方向の幅より短い）に限定されるものではない。
【００５４】
例えば、本実施例において、箱枠体１００Ａの隣接する左側面パネル１２０と背面パネル１４０において、左側面パネル１２０を左端とし、背面パネル１４０を右端となるようにして箱枠体１００Ａを硬質プラスチックシートＳ上に形成されていたが、一端のパネルに折込み片やこの折込み片の一部を折込み線に沿って切り込んだ差込スリットが形成され、他端のパネルに差込舌片が形成されていれば、左端および右端となるパネルは、これに限定されるものではない。
例えば、正面パネル１１０を左端とし、左側面パネル１２０を右端となるように箱枠体１００Ａを展開しても良い。
【００５５】
例えば、本実施例において、背面パネル１４０に形成される差込舌片とこれに対応する左側面パネル１２０の差込スリットとの設置位置は、上下２ヶ所であったが、これに限定されるものではなく、例えば、収容箱１００が浅底である場合には、１ヶ所であれば良く、収容箱１００が深底である場合には、上中下の３ヶ所であっても良い。
【００５６】
例えば、本実施例において、組付補強部材１５０に形成されるロッキング舌片とこれに対応する背面パネル１４０のロッキングスリットとの設置位置は、上述した背面パネル１４０に形成される差込舌片とこれに対応する左側面パネル１２０の差込スリットとの設置位置に応じて上下２ヶ所としたが、これに限定されるものではなく、例えば、収容箱１００が浅底である場合には、１ヶ所であれば良く、収容箱１００が深底である場合には、上中下の３ヶ所であっても良い。
【００５７】
＜５．本実施例の効果＞
上述した本実施例である収容箱１００によれば、箱枠体１００Ａの隣接したパネル相互間の組付けを補強する組付補強部材１５０が、硬質プラスチックシートＳと同質かつ箱枠体１００Ａと別体で設けられていることにより、箱枠体１００Ａの隣接したパネル相互間の組付けのみで箱枠体１００Ａを構成する場合に比べて、箱枠体１００Ａが強固な一連一体の連結形態となり、収容箱１００として優れた保形性を確保することができる。
【００５８】
また、組付補強部材１５０が、箱枠体１００Ａの隣接したパネル相互間の組付けラインＬに沿う棒状本体１５１とこの棒状本体１５１から延設したロッキング舌片１５２、１５３とを有し、差込舌片１４４、１４５が、この差込舌片１４４、１４５の折込み線である右辺１４０ｃの差込側近傍で組付けラインＬに沿って切り込んでロッキング舌片１５２、１５３を差し込むロッキングスリット１４４ａ、１４５ａを有している。
これにより、ロッキング舌片１５２、１５３をロッキングスリット１４４ａ、１４５ａに差し込むだけで組付補強部材１５０と箱枠体１００Ａとが係合されるため、箱枠体１００Ａの強度を簡便に増すことができる。
【００５９】
また、差込舌片１４４、１４５は、この差込舌片１４４、１４５の基部両端に差込スリット１２４、１２５と着脱自在に係合する一対の抜け止め用切込みノッチ１４４ｂ、１４５ｂを有している。
これにより、差込舌片１４４、１４５を差込スリット１２４、１２５に差し込んだ際に、抜け止め用切込みノッチ１４４ｂ、１４５ｂが差込スリット１２４、１２５に係合するため、差込舌片１４４、１４５が差込溝からより抜けにくくなり、箱枠体１００Ａとして隣接したパネル相互間の組付けをより強固することができる。
【００６０】
また、ロッキング舌片１５２、１５３が、このロッキング舌片１５２、１５３の基部両端にロッキングスリット１４４ａ、１４５ａと着脱自在に係合する一対の抜け止め用切込みノッチ１５２ａ、１５３ａを有している。
これにより、ロッキング舌片１５２、１５３をロッキングスリット１４４ａ、１４５ａに差し込んだ際に、抜け止め用切込みノッチ１５２ａ、１５３ａがロッキングスリット１４４ａ、１４５ａに係合するため、ロッキング舌片１５２、１５３がロッキングスリット１４４ａ、１４５ａからより抜けにくくすることができるなど、その効果は甚大である。
【符号の説明】
【００６１】
１００、  ２００  ・・・収容箱
１００Ａ          ・・・箱枠体
１１０、  ２１０  ・・・正面パネル
１１０ａ          ・・・左辺
１１０ｂ          ・・・右辺
１１０ｃ          ・・・開口
１１０ｄ          ・・・底辺
１１０ｅ          ・・・上辺
１１１、  ２１１  ・・・底面前方フラップ
１１１ａ          ・・・矩形部分
１１１ｂ          ・・・突出部分
１１１ｃ          ・・・凹部領域
１１１ｄ、２１１ｄ・・・差込片
１１２            ・・・正面上端補強パネル
１１２ａ          ・・・上辺
１１３            ・・・正面内装パネル
１１３ａ          ・・・上辺
１１４、  ２１４  ・・・底面抑え片
１２０            ・・・左側面パネル
１２０ａ          ・・・底辺
１２０ｂ          ・・・上辺
１２０ｃ          ・・・左辺
１２１            ・・・底面左サイドフラップ
１２１ａ          ・・・傾斜辺
１２１ｂ          ・・・舌部分
１２２            ・・・天面左サイドフラップ
１２３            ・・・折込み片
１２４            ・・・差込スリット
１２５            ・・・差込スリット
１３０            ・・・右側面パネル
１３０ａ          ・・・右辺
１３０ｂ          ・・・底辺
１３０ｃ          ・・・上辺
１３１            ・・・底面右サイドフラップ
１３１ａ          ・・・傾斜辺
１３１ｂ          ・・・舌部分
１３２            ・・・天面右サイドフラップ
１４０、  ２４０  ・・・背面パネル
１４０ａ          ・・・底辺
１４０ｂ          ・・・上辺
１４０ｃ          ・・・右辺（折り込み線）
１４１、  ２４１  ・・・底面後方フラップ
１４１ａ          ・・・基端部分
１４１ｂ、２４１ｂ・・・突出部分
１４１ｃ、２４１ｃ・・・係止スリット
１４２            ・・・天面パネル
１４２ａ          ・・・上辺
１４３            ・・・天面フラップ
１４３ａ          ・・・上辺
１４３ｂ          ・・・差込保持片
１４４            ・・・差込舌片
１４４ａ          ・・・ロッキングスリット
１４４ｂ          ・・・抜け止め用切込みノッチ
１４５            ・・・差込舌片
１４５ａ          ・・・ロッキングスリット
１４５ｂ          ・・・抜け止め用切込みノッチ
１５０            ・・・組付補強部材
１５１            ・・・棒状本体
１５２            ・・・ロッキング舌片
１５２ａ          ・・・抜け止め用切込みノッチ
１５３            ・・・ロッキング舌片
１５３ａ          ・・・抜け止め用切込みノッチ
Ａ              ・・・物品収容空間
Ｏ              ・・・底部開口
Ｓ              ・・・硬質プラスチックシート
Ｌ              ・・・組付けライン
Ｗ              ・・・収容箱の幅
Ｄ              ・・・収容箱の奥行き
Ｈ              ・・・収容箱の高さ
【図１】
2020006991.tif 000003
【図２】
2020006991.tif 000004
【図３Ａ】
2020006991.tif 000005
【図３Ｂ】
2020006991.tif 000006
【図４】
2020006991.tif 000007
【図５】
2020006991.tif 000008
【図６】
2020006991.tif 000009
【図７】
2020006991.tif 000010
【図８】
2020006991.tif 000011
【図９】
2020006991.tif 000012
【図１０】
2020006991.tif 000013
【図１１Ａ】
2020006991.tif 000014
【図１１Ｂ】
2020006991.tif 000015
【図１１Ｃ】
2020006991.tif 000016